(57)【特許請求の範囲】
【請求項１】
互いに間隔を有するように外縁に両端支持された複数の羽板により通気孔が形成された着脱可能なパネルを備える空気調和機において、
前記羽板と該羽板に近接する羽板のうちの１つの羽板とを連結する連結部を千鳥状に配置するとともに、前記羽板と該羽板に近接する羽板のうちの１つの羽板とを連結する切断可能な補助連結部を設けたことを特徴とする空気調和機。
【請求項２】
前記連結部および前記補助連結部をそれぞれ直線上に交互に配置したことを特徴とする請求項１に記載の空気調和機。
【請求項３】
前記補助連結部は、一側に位置する前記羽板に設けられた基部と、該基部の端部と他側の前記羽板の間に設けられた切断可能な被切断部とを備えることを特徴とする請求項１または２に記載の空気調和機。
【請求項４】
互いに間隔を有するように外縁に両端支持された複数の羽板により通気孔が形成され、前記複数の羽板のうち、少なくとも一部の羽板のそれぞれと該羽板に近接する羽板とが連結部で連結された着脱可能なパネルを備える空気調和機の製造方法において、
前記連結部が千鳥状に配置されるように、前記連結部のうちの一部の連結部を切断することを特徴とする空気調和機の製造方法。
【請求項５】
前記切断する連結部は、一側に位置する前記羽板に設けられた基部と、該基部の端部と他側の前記羽板の間に設けられた切断可能な被切断部とを有する補助連結部であることを特徴とする請求項４に記載の空気調和機の製造方法。
【発明の詳細な説明】
【技術分野】
【０００１】
本発明は、空気清浄機、除湿器、および、加湿器等の空気調和機およびその製造方法に関するものである。
【背景技術】
【０００２】
特許文献１の図１４（ロ）には、フレームの外縁に両端支持された複数の横断部により空気を吸入する吸気孔が形成された空気清浄機が開示されている。この空気清浄機では、吸気孔に十分な開口面積が確保されているが、複数の横断部が成形時に変形したり、取り付け、取り外し時に加えられた押圧力によって破損するおそれがある。
【０００３】
同特許文献１の図１には、格子状に設けられた縦断部と横断部とにより吸気孔が形成されたパネルを有する空気清浄機が開示されている。この空気清浄機では、パネルの強度を向上させることはできるが、吸気孔として十分な開口面を確保することができない。
【０００４】
したがって、特許文献１の図１４（ロ）に開示された空気清浄機に対して、複数の横断部間にまたがるように、直線上の連結部を設けることにより、フレームの外縁に対する横断部の変位量を低減し、成形時に生じる変形や、横断部の両端に加えられる応力の増加を防止する対策が有用であるように考えられる。しかしながら、連結部においても応力集中は生じ得る。これに対処するために、縦方向に延びる連結部の幅を太くすると、ヒケが生じる可能性がある。また、連結部を、幅を太くせずに奥行き方向に長くすると、強度を向上させることはできるが、製品が奥行き方向に大きくなる。
【先行技術文献】
【特許文献】
【０００５】
【特許文献１】特開２００２−４５６３２号公報
【発明の概要】
【発明が解決しようとする課題】
【０００６】
本発明は、装置を大型化させることなく、通気孔の開口面積を十分に確保し、成形時の変形、および、外力の応力集中による変形や破損が生じることを回避することを課題とする。
【課題を解決するための手段】
【０００７】
前記課題を解決するための手段として、本発明の空気調和機は、互いに間隔を有するように外縁に両端支持された複数の羽板により通気孔が形成された着脱可能なパネルを備える空気調和機において、前記羽板と該羽板に近接する羽板のうちの１つの羽板とを連結する連結部を千鳥状に配置するとともに、前記羽板と該羽板に近接する羽板のうちの１つの羽板とを連結する切断可能な補助連結部を設けるようにした。
【０００８】
この構成によれば、連結部を千鳥状に配置しているので、複数の羽板により形成された通気孔の開口面積を十分に確保することができるとともに、装置の大型化を回避できる。そして、羽板と羽板とを柔軟性を有した状態で連結することができる。したがって、パネルの成型時に変形が生じることを回避できる。また、外力による応力集中が生じた場合に該応力を分散させることができるので、外縁に対する羽板の変位量を低減し変形や破損が生じることを回避できる。
【０００９】
また、羽板と該羽板に近接する羽板のうちの１つの羽板とを補助連結部により連結しているので、パネルの成形時にパネルの羽板に変形が生じることを回避できる。そして、成形後の加工工程において、補助連結部を切断することにより、千鳥状に配置された連結部のみによって羽板と羽板の間が柔軟性を有した状態で連結されたパネルを得ることができる。
【００１０】
前記連結部および前記補助連結部をそれぞれ直線上に交互に配置することが好ましい。この構成によれば、連結部および補助連結部をそれぞれ直線上に配置することにより、パネルの成型時に生じる変形をより一層回避できる。
【００１１】
前記補助連結部は、一側に位置する前記羽板に設けられた基部と、該基部の端部と他側の前記羽板の間に設けられた切断可能な被切断部とを備えることが好ましい。この構成によれば、成形後の加工工程において、被切断部を切断することにより、一側に位置する羽板と他側に位置する羽板とを容易に切り離すことができる。
【００１３】
前記課題を解決するための手段として、本発明の空気調和機の製造方法は、互いに間隔を有するように外縁に両端支持された複数の羽板により通気孔が形成され、前記複数の羽板のうち、少なくとも一部の羽板のそれぞれと該羽板に近接する羽板とが連結部で連結された着脱可能なパネルを備える空気調和機の製造方法において、前記連結部が千鳥状に配置されるように、前記連結部のうちの一部の連結部を切断するようにした。
【００１４】
この方法によれば、パネルの成形時、羽板と該羽板に近接する羽板とを連結部により連結しているので、成形時に変形が生じることを回避できる。そして、成形後の加工工程において、連結部のうちの一部の連結部を切断することにより、千鳥状に配置された連結部のみによって羽板と羽板の間が柔軟性を有した状態で連結されたパネルを得ることができる。
【発明の効果】
【００１５】
本発明によれば、連結部を千鳥状に配置しているので、複数の羽板により形成された通気孔の開口面積を十分に確保することができるとともに、装置の大型化を回避できる。そして、羽板と羽板とを柔軟性を有した状態で連結することができる。したがって、パネルの成型時に変形が生じることを回避できる。また、外力による応力集中が生じた場合に該応力を分散させることができるので、外縁に対する羽板の変位量を低減し変形や破損が生じることを回避できる。
【図面の簡単な説明】
【００１６】
【図１】本発明の第１実施形態にかかる空気清浄機の前面パネルの正面図（Ａ）、平面図（Ｂ）、側面図（Ｃ）。
【図２】前面パネルの内面を示す図。
【図３】前面パネル内面の部分拡大図。
【図４】前面パネルの部分側方断面図。
【図５】空気清浄機の本体の正面図。
【図６】前面パネルの羽板の状態を示し、（Ａ）は外力が加えられていない状態、（Ｂ）は連結部に連結された羽板に外力が加えられた状態、（Ｃ）は連結部に連結されていない羽板に外力が加えられた状態を示す図。
【図７】本発明の第２実施形態にかかる空気清浄機の前面パネルを示す斜視図。
【図８】前面パネル内面の部分拡大斜視図。
【図９】前面パネル内面の部分拡大図。
【図１０】前面パネルの部分側方断面図。
【図１１】前面パネルの部分側方断面図。
【図１２】前面パネル内面の部分拡大図。
【図１３】本発明の第３実施形態にかかる空気清浄機の前面パネルの部分側方断面図。
【図１４】前面パネルの部分側方断面図。
【図１５】前面パネルの変形例を示す図。
【図１６】前面パネルの変形例を示す図。
【図１７】前面パネルの変形例を示す図。
【図１８】前面パネルの変形例を示す図。
【発明を実施するための形態】
【００１７】
以下、本発明の実施の形態を図面に従って説明する。
【００１８】
（第１実施形態）
図１は、本発明にかかる空気調和機の一例である第１実施形態の空気清浄機１を示す。空気清浄機１は、前面パネル（パネル）２と本体３とを備えている。
【００１９】
前面パネル２は、矩形の鉛直な面の両端縁が後方に向かって湾曲した前面部４と、前面部４の上端縁（頂部）３８から略水平に延びる天面部５とからなっている。前面部４の中央には、空気を取り入れるルーバー６が形成されている。図２ないし４に示すように、ルーバー６は、複数の羽板７を備えている。複数の羽板７は、長手方向の両端部８，９が前面パネル２の外縁１０に支持されるように縦方向に間隔を有して配置されている。羽板７は、前側垂直部１１、該前側垂直部１１の上方に位置する後側垂直部１２、および、これらを接続する略水平部１３を備えており、断面が略クランク状に形成されている。羽板７とこの羽板７に近接する羽板７の間には、連結部１４が設けられている。連結部１４は、略矩形の薄板状に形成され垂直方向に配置されている。連結部１４の上側端面１５は、略水平部１３の下面１６と連結されている。連結部１４の前側端面１７は、前側垂直部１１の後面１８と連結されている。連結部１４の下側端面１９は、後側の一部分である接続部２０を介して後側垂直部１２の上端面２１と連結されている。連結部１４は、羽板７の端部８，９から所定間隔を有する位置に配置される。本実施形態では、所定間隔は、互いに異なる２つの間隔である。そして、連結部１４は、配置が考えられる全ての位置に対して、垂直、および、水平のそれぞれの方向において、１つおきに配置されている。すなわち、連結部１４は、千鳥状に配置されている。「連結部１４を千鳥状に配置する」とは、羽板７の一側に連結された連結部１４と、羽板７の他側で連結された連結部１４とを、羽板７に直交する同一線上に重ならないように配置することである。羽板７と、この羽板７の下方で近接した羽板７との間には、吸気孔（通気孔）２２が形成されている。前面部４とこれに連続する天面部５とが形成する稜部２３の右側部分には、第１スイッチ（切タイマー）操作部２４ａと第２スイッチ（入／切選択スイッチ）操作部２４ｂが設けられている。第１と第２のスイッチ操作部２４ａ、２４ｂの下方の前面部４には、横方向に延びるＬＥＤ表示窓２５が設けられている。前面パネル２の前面部４と天面部５とが形成する稜部２３の中央の内面には、位置決め部として１対の突片２６が形成されている。
【００２０】
図５は、前面パネル２を取り外した空気清浄機１の正面から見た本体３を示す。本体３には、前面パネル２のルーバー６を通過した空気をフィルタ２７を介して内部のファン（不図示）に吸い込むための吸込み口２８が形成されている。本体３の正面の右上には、第１スイッチと第２スイッチ用の２つの駆動部２９ａ、２９ｂが形成され、該駆動部２９ａ、２９ｂの下方には、空気清浄機１の複数のＬＥＤ孔３０が水平方向に１列に形成されている。駆動部２９ａ、２９ｂ及びＬＥＤ孔３０を覆うようにシート３１が貼り付けられ、ＬＥＤ孔３０の部分は透明な窓になっている。本体３の前面と天面の稜部の中央には、前記前面パネル２の１対の突片２６が係合する凹部３２が形成されている。
【００２１】
次に、以上の構成からなる本発明の第１実施形態の空気清浄機１の動作を説明する。
【００２２】
第２スイッチ（入／切選択スイッチ）操作部２４ｂを押すと、本体３のファン（不図示）が回転し、外部の空気が前面パネル２のルーバー６の吸気孔２２から吸い込まれ、フィルタ２７により粉塵等が捕捉された後、本体３の吸込み口２８に吸い込まれ、本体３の内部を通って外部に排気される。
【００２３】
図６は、前面パネル２の羽板７の状態を示したもので、（Ａ）は外力が加えられていない状態、（Ｂ）は連結部１４に連結された羽板７に外力が加えられた状態、（Ｃ）は連結部に連結されていない羽板７に外力が加えられた状態を示したものである。フィルタ２７交換時、前面パネル２を取り外し、前面パネル２の頂部と反対側の下端部と天面部の端部とで支持されるように前面パネル２を置き、前面パネル２の複数の羽板７に、誤って外力を加えた場合に、連結部１４と羽板７の間を柔軟性を有した状態で連結しているので、複数の羽板７の両端部８，９、および、連結部１４の両端への応力を分散させることができる。また、図６（Ｂ)に示すように、図６（Ｃ)に示した連結部を有しないルーバーと比較して、外縁１０に対する羽板７の変位量を低減し変形や破損が生じることを回避できる。そして、連結部１４を千鳥状に配置しているので、成型時に変形が生じることを回避できる。また、複数の羽板７により形成された吸気孔２２の開口面積を十分に確保することができるとともに、装置の大型化を回避できる。
【００２４】
また、該応力を分散させることができるので、前面パネル２に天面部５を設けることができ、空気清浄機１頂部の清掃性、およびデザイン性を向上させることができる。
【００２５】
（第２実施形態）
図７ないし図９は、本発明の第２実施形態にかかる空気清浄機１の前面パネル２を示す。本実施形態において、第１実施形態と同じ構成要素には同じ符号を付して説明を省略する。
【００２６】
連結部１４の垂直方向において、連結部１４が設けられていない羽板７と羽板７の間には、成形時、補助連結部３３が設けられている。図９に示すように、連結部１４と補助連結部３３は、それぞれ直線上に交互に配置されている。補助連結部３３は、基部３４と被切断部３５とを備えている。図１０に示すように、補助連結部３３の基部３４は、連結部１４の後ろ側を切除した形状であり、下端が、後側垂直部１２の上端面２１から離れている。被切断部３５は薄板状であり、基部３４の下部と、後側垂直部１２の上端面２１とを連結している。
【００２７】
羽板７の補助連結部３３の基部３４と羽板７の上端面２１とを被切断部３５により連結しているので、前面パネル２の成形時にルーバー６の変形が生じることを回避できる。そして、成形後の加工工程において、図１１および図１２に示すように、被切断部３５を切除することにより、一側に位置する羽板７と他側に位置する羽板７とを容易に切り離すことができ、千鳥状に配置された連結部１４のみによって羽板７と羽板７の間が柔軟性を有した状態で連結された前面パネル２を得ることができる。本実施形態において、第１実施形態と同様の効果も得ることができる。
【００２８】
（第３実施形態）
図１３は、本発明の第３実施形態にかかる空気清浄機１の前面パネル２を示す。本実施形態において、第２実施形態と同じ構成要素には同じ符号を付して説明を省略する。
【００２９】
連結部１４および補助連結部３３に代えて、突出部３６が設けられている。突出部３６は、補助連結部３３の基部３４と同様である。被切断部３５は設けられていない。
【００３０】
図１４に示すように、成形後の加工工程において、連結部１４となる位置の突出部３６と羽板７とを溶着部３７を溶着して連結することにより、千鳥状に配置された連結部１４のみによって羽板７と羽板７の間が柔軟性を有した状態で連結された前面パネル２を得ることができる。本実施形態において、第１実施形態と同様の効果も得ることができる。
【００３１】
本発明は実施形態のものに限定されず、以下に例示するように種々の変形が可能である。
【００３２】
羽板と連結部とが格子状に配置されたパネルを平面に置いた時、パネルと平面との間に隙間を有し、パネルを上方から押さえ付けると割れる可能性があるものに適用可能である。
【００３３】
前述した実施形態では、通気孔が吸気孔であるパネルを有する空気調和機について説明したが、本発明は、通気孔が排気孔であるパネルを有する空気調和機にも適用することができる。なお、パネルは、側面パネルや背面パネル等、いかなるパネルでもよい。
【００３４】
図１５に示すように、複数の羽板７を横方向に配置し、連結部１４を下方または上方に向かって斜めに規則的に配置するようにしてもよい。
【００３５】
図１６に示すように、複数の羽板７を縦方向に配置してもよい。また、図１７に示すように、複数の羽板７を縦方向に対して傾斜した方向に配置してもよい。
【００３６】
図１８に示すように、補助連結部３３は、補助連結部３３の上下それぞれの方向に１つずれた同一直線上に位置する連結部１４，１４に対して、横方向にずれた位置に配置してもよい。
【符号の説明】
【００３７】
１  空気清浄機
２  前面パネル（パネル）
５  天面部
７  羽板
１０  外縁
１４  連結部
２２  吸気孔（通気孔）
３３  補助連結部
３４  基部
３５  被切断部
３８  上端縁（頂部）
【図１】
0005615762.tif 000002
【図２】
0005615762.tif 000003
【図３】
0005615762.tif 000004
【図４】
0005615762.tif 000005
【図５】
0005615762.tif 000006
【図６】
0005615762.tif 000007
【図７】
0005615762.tif 000008
【図８】
0005615762.tif 000009
【図９】
0005615762.tif 000010
【図１０】
0005615762.tif 000011
【図１１】
0005615762.tif 000012
【図１２】
0005615762.tif 000013
【図１３】
0005615762.tif 000014
【図１４】
0005615762.tif 000015
【図１５】
0005615762.tif 000016
【図１６】
0005615762.tif 000017
【図１７】
0005615762.tif 000018
【図１８】
0005615762.tif 000019